(57)【要約】【課題】作業者の作業性を損なうことなく、顧客などの第三者によるいたずら操作を確実に防止することができる冷却装置の電子コントローラを提供する。【解決手段】制御手段１６は、庫内温度設定値、除霜時間の設定情報、庫内照明の点灯／消灯、冷却／非冷却の制御情報を含む、保存手段１３に保存された設定／制御情報に基づいて制御を行う。操作手段１４は、庫内照明の点灯／消灯を除く保存手段１３に保存されている設定／制御情報を表示手段１４に表示させ、表示された設定／制御情報を変更する操作を行う。変更制御手段１６１は、庫内照明の点灯時に操作手段による表示手段に表示されている設定／制御情報の変更を禁止し、庫内照明の消灯時に禁止を解除する。【選択図】図２
2008224093.tif 000002
【特許請求の範囲】
【請求項１】
庫内温度設定値、除霜時間の設定情報、庫内照明の点灯／消灯、冷却／非冷却の制御情報を含む設定／制御情報を保存した保存手段と、
該保存手段に保存された前記設定／制御情報に基づいて冷却装置の制御を行う制御手段と、
前記庫内照明の点灯／消灯を除く前記保存手段に保存されている前記設定／制御情報を表示する表示手段と、
前記設定／制御情報の前記庫内照明の点灯／消灯を変更する操作と、前記庫内照明の点灯／消灯を除く前記設定／制御情報を前記表示手段に順次表示させ、該表示させた前記設定／制御情報を変更する操作とを行う操作手段と、
庫内照明の点灯時に前記操作手段による前記表示手段に表示されている前記設定／制御情報の変更を禁止し、庫内照明の消灯時に前記禁止を解除する変更制御手段と
を備えることを特徴とする冷却装置の電子コントローラ。
【請求項２】
庫内温度設定値、除霜時間の設定情報、庫内照明の点灯／消灯、冷却／非冷却の制御情報を含む設定／制御情報を保存した保存手段と、
該保存手段に保存された前記設定／制御情報に基づいて冷却装置の制御を行う制御手段と、
前記庫内照明の点灯／消灯を除く前記設定／制御情報を表示する表示手段と、
前記庫内照明の点灯／消灯を除く前記設定／制御情報を前記表示手段に順次表示させ、、該表示させた前記設定／制御情報を変更する操作を行う操作手段と、
通信ラインを介して接続された上位制御機器との通信を行う通信手段と、
該通信手段を通じて前記上位制御機器との通信を開始または再開したことを検出したとき、前記操作手段による前記表示手段に表示されている前記設定／制御情報の変更を禁止する変更制御手段と
を備えることを特徴とする冷却装置の電子コントローラ。
【請求項３】
前記変更制御手段は、前記通信手段を通じて前記上位制御機器から所定の設定情報を受信したとき、前記禁止を所定時間解除する
ことを特徴とする請求項２記載の冷却装置の電子コントローラ。
【請求項４】
前記変更制御手段は、前記通信手段を通じて前記上位制御機器との通信を所定時間以内に行わないことを検出したとき、前記禁止を解除する
ことを特徴とする請求項２記載の冷却装置の電子コントローラ。
【請求項５】
前記変更制御手段は、前記通信手段を通じて前記上位制御機器から所定の設定指令を受信したとき、前記操作手段による前記設定／制御情報の変更を可能とする
ことを特徴とする請求項２記載の冷却装置の電子コントローラ。
【請求項６】
前記所定の設定指令が庫内照明消灯の指令であり、前記変更制御手段は、前記通信手段を通じて前記庫内照明消灯の指令を受信したとき前記禁止を解除する
ことを特徴とする請求項５記載の冷却装置の電子コントローラ。
【請求項７】
前記変更制御手段は、前記通信手段を通じて前記上位制御機器から庫内照明点灯の指令を受信したとき、前記設定／制御情報の変更を禁止する
ことを特徴とする請求項６記載の冷却装置の電子コントローラ。
【請求項８】
前記変更制御手段は、庫内照明が消灯されたことを検出して前記禁止を解除し、庫内照明が再点灯されたことを検出して元に戻す
ことを特徴とする請求項２記載の冷却装置の電子コントローラ。
【請求項９】
複数の冷却装置の各々に対応して設けられた電子コントローラと、該電子コントローラと通信ラインを介して接続された上位制御機器とを備え、前記電子コントローラの各々と前記上位制御機器との間で前記通信ラインを介して通信を行い、前記上位制御機器側において複数の冷却装置を集中監視する冷却装置の集中監視システムであって、
前記電子コントローラの各々が、請求項２〜請求項８の何れかに記載された電子コントローラからなる
ことを特徴とする冷却装置の集中監視システム。
【発明の詳細な説明】
【技術分野】
【０００１】
本発明は、冷却装置の電子コントローラ及び集中監視システムに係り、より詳細には、庫内温度などのデータを表示したり、冷却装置を操作したりするための表示／操作部を有する冷却装置の電子コントローラ、及び、複数の電子コントローラと、各電子コントローラと通信ラインを介して接続された上位制御機器との間で通信を行い、上位制御機器側において複数の冷却装置を集中監視する冷却装置の集中監視システムに関するものである。
【背景技術】
【０００２】
例えば冷凍冷蔵ショーケースのような冷却装置には、庫内温度などのデータを表示したり、冷却装置を操作したりするための表示／操作部を有する電子コントローラが備えられている。この表示／操作部は、メンテナンスを行う作業者の作業性を向上することができ、また買い物客からも冷却装置の温度状態を確認することができるように、冷却装置上部前面に取り付けられている。このため、表示／操作部が第三者によって不正に操作されてしまい、知らないうちに冷却装置の設定値や制御情報が変更され、冷却装置が正常に運転できなくなって、装置内の商品に必要な冷却を行うことができなくなるという問題があった。
【０００３】
また、従来、第三者の不正な操作を防ぐために、表示／操作部の表面にカバーを設けて表示／操作部の操作キーを隠す方法が提案されている（例えば、特許文献１参照）。しかしこの方法では、カバーの存在を知っている第三者がカバーを開け、容易にキー操作することが可能であるとともに、メンテナンスを行う作業者にとって、カバーを開閉することは作業性を悪くするという問題があった。
【０００４】
さらに、複数のキーを同時に押す、またキーを長時間押し続けるなど特定のキー操作が行われない限り、冷却装置の設定変更を禁止する方法が提案されている（例えば、特許文献２参照）。しかし、第三者であっても特定のキー操作を知る者であれば操作を行うことは可能であり、またメンテナンスを行う作業者にとっては、この特定のキー操作はわずらわしく、作業性を悪くするという問題があった。
【０００５】
なお、この種の冷却装置の電子コントローラには、通信ラインを介して上位制御機器と接続され、上位制御機器とともに集中監視システムを構成することが可能になっているものもある（例えば、特許文献３参照）ので、冷却装置の電子コントローラに対して上位制御機器からの指令により、表示／操作部のキー操作を有効化したり、無効化したりする方法が考えられる。
【特許文献１】特許第３７２６７２９号公報
【特許文献２】特開２００３−ｌ１４０７７公報
【特許文献３】特開２００２−１０７０３０公報
【発明の開示】
【発明が解決しようとする課題】
【０００６】
しかしながら、上位制御機器からの指令により、表示／操作部のキー操作を有効・無効化する方法では、指令によって無効化されている間、作業者が表示／操作部から冷却装置の状態を参照することができなくなってしまうという欠点がある。勿論、作業の度にキー操作の無効化を指令によって解消してもらうことも考えられるが、実際に行うには非常に無理があり、実際的でない。
【０００７】
また、冷却装置を店舗に新たに設置する作業において、冷却装置の試運転を行うときなどに、冷却装置の表示／操作部より設定変更を行う必要がある。しかしながら、このような作業の際、通信ラインを介して上位制御機器との接続が行われていない場合が多い。このため、試運転を上位制御機器との接続が行わるまで待たなければならないという別の問題も生じる。勿論、この方法は、通信ラインを介して上位制御機器と接続され、上位制御機器とともに集中監視システムを構成することが可能な冷却装置の電子コントローラにしか適用することができないという欠点もある。
【０００８】
よって本発明は、上述した現状に鑑み、作業者の作業性を損なうことなく、顧客などの第三者によるいたずら操作を確実に防止することができる冷却装置の電子コントローラを提供することを目的としている。
【０００９】
本発明はまた、通信ラインを介して上位制御機器と接続され、上位制御機器とともに集中監視システムを構成することが可能であるものに有効に適用され、作業者の作業性を損なうことなく、顧客などの第三者によるいたずら操作を確実に防止することができる冷却装置の電子コントローラを提供することを目的としている。
【００１０】
本発明はさらに、複数の電子コントローラと上位制御機器とが通信ラインを介して接続されて構成され、作業者の作業性を損なうことなく、顧客などの第三者によるいたずら操作を確実に防止することができる冷却装置の集中監視システムを提供することを目的としている。
【課題を解決するための手段】
【００１１】
上記課題を解決するためになされた請求項１に係る冷却装置の電子コントローラは、庫内温度設定値、除霜時間の設定情報、庫内照明の点灯／消灯、冷却／非冷却の制御情報を含む設定／制御情報を保存した保存手段と、該保存手段に保存された前記設定／制御情報に基づいて冷却装置の制御を行う制御手段と、該保存手段に保存されている前記設定／制御情報を表示する表示手段と、前記保存手段に保存されている前記設定／制御情報を前記表示手段に表示させ、前記表示手段に表示された前記設定／制御情報を変更する操作を行う操作手段と、庫内照明の点灯時に前記操作手段による前記表示手段に表示されている前記設定／制御情報の変更を禁止し、庫内照明の消灯時に前記禁止を解除する変更制御手段とを備えることを特徴とする。
【００１２】
請求項１記載の発明によれば、庫内温度設定値、除霜時間の設定情報、庫内照明の点灯／消灯、冷却／非冷却の制御情報を含む設定／制御情報を保存手段に保存しておき、この保存されている設定／制御情報に基づいて制御手段が冷却装置の制御を行い、また、操作手段の操作によって、保存手段に保存されている設定／制御情報を表示手段に表示させ、表示された設定／制御情報を操作手段の操作によって変更することができるようになっているが、変更制御手段が、庫内照明の点灯時には、操作手段による表示手段に表示されている設定／制御情報の変更を禁止し、庫内照明の消灯時に禁止を解除するようになっているので、点灯している庫内照明を消灯することで、設定／制御情報を変更することができる。
【００１３】
請求項２に係る冷却装置の電子コントローラは、庫内温度設定値、除霜時間の設定情報、庫内照明の点灯／消灯、冷却／非冷却の制御情報を含む設定／制御情報を保存した保存手段と、該保存手段に保存された前記設定／制御情報に基づいて冷却装置の制御を行う制御手段と、該保存手段に保存されている前記設定／制御情報を表示する表示手段と、前記保存手段に保存されている前記設定／制御情報を前記表示手段に表示させ、前記表示手段に表示された前記設定／制御情報を変更する操作を行う操作手段と、通信ラインを介して接続された上位制御機器と通信を行う通信手段と、前記通信手段が前記上位制御機器との通信を開始または再開したことを検出したとき、前記操作手段による前記表示手段に表示されている前記設定／制御情報の変更を禁止する変更制御手段とを備えることを特徴とする。
【００１４】
請求項２記載の発明によれば、庫内温度設定値、除霜時間の設定情報、庫内照明の点灯／消灯、冷却／非冷却の制御情報を含む設定／制御情報を保存手段に保存しておき、この保存されている設定／制御情報に基づいて制御手段が冷却装置の制御を行い、また、操作手段の操作によって、保存手段に保存されている設定／制御情報を表示手段に表示させ、表示された設定／制御情報を変更することができるようになっているが、変更制御手段が、通信ラインを介して接続された上位制御機器と通信を行う通信手段が上位制御機器との通信を開始または再開したことを検出したとき、操作手段による表示手段に表示されている設定／制御情報の変更を禁止するようになっているので、通信手段が上位制御機器との通信を開始または再開するまでは、操作手段の操作によって、表示手段に表示された設定／制御情報を変更することができる。
【００１５】
請求項３に係る冷却装置の電子コントローラは、請求項２記載の冷却装置の電子コントローラにおいて、前記変更制御手段は、前記通信手段を通じて前記上位制御機器から所定の設定情報を受信したとき、前記禁止を所定時間解除することを特徴とする。
【００１６】
請求項３記載の発明によれば、変更制御手段は、上位制御機器と通信を行う通信手段が上位制御機器との通信を開始または再開したことを検出したとき、操作手段による表示手段に表示されている設定／制御情報の変更を禁止するが、この禁止を、通信手段を通じて上位制御機器から所定の設定情報を受信したとき所定時間解除するので、通信手段が上位制御機器との通信を開始または再開するまでは、操作手段の操作によって、表示手段に表示された設定／制御情報を変更することができる他、上位制御機器との通信を開始または再開した後でも、上位制御機器からの設定によって、所定時間に限り、操作手段によって設定／制御情報の変更を行うことができる。
【００１７】
請求項４に係る冷却装置の電子コントローラは、請求項２記載の冷却装置の電子コントローラにおいて、前記変更制御手段は、前記通信手段を通じて前記上位制御機器との通信を所定時間以内に行わないことを検出したとき、前記禁止を解除することを特徴とする。
【００１８】
請求項４記載の発明によれば、変更制御手段は、上位制御機器と通信を行う通信手段が上位制御機器との通信を開始または再開したことを検出したとき、操作手段による表示手段に表示されている設定／制御情報の変更を禁止するが、この禁止を、通信手段を通じて上位制御機器との通信を所定時間以内に行わないことを検出したとき解除するので、通信手段を通じて上位制御機器から所定の設定情報を受信することができなくなっても、操作手段による設定／制御情報の変更を行うことができる。
【００１９】
請求項５に係る冷却装置の電子コントローラは、請求項２記載の冷却装置の電子コントローラにおいて、前記変更制御手段は、前記通信手段を通じて前記上位制御機器から所定の設定指令を受信したとき、前記操作手段による前記設定／制御情報の変更を可能とすることを特徴とする。
【００２０】
請求項５記載の発明によれば、変更制御手段は、上位制御機器と通信を行う通信手段が上位制御機器との通信を開始または再開したことを検出したとき、操作手段による表示手段に表示されている設定／制御情報の変更を禁止するが、通信手段を通じて上位制御機器から所定の設定指令を受信したとき、操作手段による設定／制御情報の変更を可能とするので、通信手段が上位制御機器との通信を開始または再開するまでは、操作手段の操作によって、表示手段に表示された設定／制御情報を変更することができる他、上位制御機器との通信を開始または再開した後でも、上位制御機器から操作手段による設定／制御情報の変更を可能とする所定の設定指令を送信することで、上位制御機器側から設定／制御情報を変更することができる状態を形成することができる。
【００２１】
請求項６に係る冷却装置の電子コントローラは、請求項５記載の冷却装置の電子コントローラにおいて、前記所定の設定指令が庫内照明消灯の指令であり、前記変更制御手段は、前記通信手段を通じて前記庫内照明消灯の指令を受信したとき前記禁止を解除することを特徴とする。
【００２２】
請求項６記載の発明によれば、変更制御手段は、上位制御機器と通信を行う通信手段が上位制御機器との通信を開始または再開したことを検出したとき、操作手段による表示手段に表示されている設定／制御情報の変更を禁止するが、通信手段を通じて上位制御機器から所定の設定指令として庫内照明消灯の指令を受信したとき、操作手段による設定／制御情報変更の禁止を解除するので、上位制御機器側から庫内照明消灯の指令を送信することにより、操作手段による設定／制御情報の変更ができるようになる。
【００２３】
請求項７に係る冷却装置の電子コントローラは、請求項６記載の冷却装置の電子コントローラにおいて、前記変更制御手段は、前記通信手段を通じて前記上位制御機器から庫内照明点灯の指令を受信したとき、前記設定／制御情報の変更を禁止することを特徴とする。
【００２４】
請求項７記載の発明によれば、制御変更手段は、通信手段を通じて上位制御機器から庫内照明消灯の指令を受信したとき解除された操作手段による設定／制御情報変更の禁止を解除するが、通信手段を通じて上位制御機器から庫内照明点灯の指令を受信したとき、設定／制御情報の変更を禁止するので、上位制御機器側からの庫内照明の消灯と点灯を指令することで、設定／制御情報変更の許可と禁止をそれぞれ制御することができる。
【００２５】
請求項８に係る冷却装置の電子コントローラは、請求項２記載の冷却装置の電子コントローラにおいて、前記変更制御手段は、庫内照明が消灯されたことを検出して前記禁止を解除し、庫内照明が再点灯されたことを検出して元に戻すことを特徴とする。
【００２６】
請求項８記載の発明によれば、変更制御手段は、上位制御機器と通信を行う通信手段が上位制御機器との通信を開始または再開したことを検出したとき、操作手段による表示手段に表示されている設定／制御情報の変更を禁止するが、この禁止を、庫内照明が消灯されたことを検出して解除し、庫内照明が再点灯されたことを検出して元に戻すので、通信手段が上位制御機器との通信を開始または再開するまでは、操作手段の操作によって、表示手段に表示された設定／制御情報を変更することができる他、上位制御機器との通信を開始または再開した後でも、庫内照明の消灯と点灯により設定／制御情報変更を許可と禁止を制御することができる。
【００２７】
上記課題を解決するためになされた請求項９に係る冷却装置の集中監視システムは、複数の冷却装置の電子コントローラと、該複数の冷却装置の電子コントローラと通信ラインを介して接続された上位制御機器とを備え、前記電子コントローラの各々と前記上位制御機器との間で前記通信ラインを介して通信を行い、前記上位制御機器側において複数の冷却装置を集中監視する冷却装置の集中監視システムであって、前記電子コントローラの各々が、請求項２〜請求項８の何れかに記載された電子コントローラ からなることを特徴とする。
【００２８】
請求項９記載の発明によれば、電子コントローラの各々と上位制御機器との間で通信ラインを介して通信を行い、上位制御機器側において複数の冷却装置を集中監視する冷却装置を集中監視ているので、上位制御機器との通信を開始または再開した後でも、請求項３〜８に記載した電子コントローラの作用によって、設定／制御情報変更の許可と禁止をそれぞれ制御することができる。
【発明の効果】
【００２９】
請求項１記載の発明によれば、点灯している庫内照明を消灯することで、設定／制御情報を変更することができるので、作業者が必要な設定／制御情報の変更を行うには点灯している庫内照明を消灯すればよく、第三者がいたずらによる設定／制御情報の変更を行うためには庫内照明を消灯しなければならない。したがって、冷却装置の庫内照明の消灯によって、第三者が設定／制御情報を不正に設定変更するなどのいたずらを容易に発見でき、作業者の作業性を損なうことなく、顧客などの第三者によるいたずら操作を確実に防止することができる冷却装置の電子コントローラを提供することができる。
【００３０】
請求項２記載の発明によれば、通信手段が上位制御機器との通信を開始または再開するまでは、操作手段の操作によって、表示手段に表示された設定／制御情報を変更することができるので、冷却装置を導入設置時に、操作手段の操作によって、表示手段に表示された設定／制御情報を種々変更して冷却装置を単独で冷却テストを行うことができ、通信手段が上位制御機器との通信を開始または再開した後は、操作手段の操作による設定／制御情報の変更が禁止されるようになり、通信ラインを介して上位制御機器と接続され、上位制御機器とともに集中監視システムを構成することが可能であるものに有効に適用され、作業者の作業性を損なうことなく、顧客などの第三者によるいたずら操作を確実に防止することができる冷却装置の電子コントローラを提供することができる。
【００３１】
請求項３記載の発明によれば、上位制御機器からの設定によって、所定時間に限り、操作手段によって設定／制御情報の変更を行ことができるので、上位制御機器との通信を開始または再開した後でも、いたずら防止による制約を受けることなく、操作手段により設定／制御情報の種々変更して冷却装置のテスト運転を実施することができる。
【００３２】
請求項４記載の発明によれば、通信手段を通じて上位制御機器から所定の設定情報を受信することができなくなっても、操作手段による設定／制御情報の変更を行うことができるので、通信手段が上位制御機器との通信を開始または再開した後に、通信手段を通じて上位制御機器との通信が故障など何らかの理由によって行われなくても、操作手段による設定／制御情報の変更が行えなくなることがない。
【００３３】
請求項５記載の発明によれば、上位制御機器から操作手段による設定／制御情報の変更を可能とする所定の設定指令を送信することで、上位制御機器側から設定／制御情報を変更することができる状態を形成することができるので、上位制御機器との通信を開始または再開した後でも、いたずら防止による制約を受けることなく、操作手段により設定／制御情報の種々変更して冷却装置のテスト運転を実施することができる。
【００３４】
請求項６記載の発明によれば、上位制御機器側から庫内照明消灯の指令を送信することにより、操作手段による設定／制御情報の変更ができるようになるので、上位制御機器との通信を開始または再開した後でも、いたずら防止による制約を受けることなく、操作手段により設定／制御情報の種々変更して冷却装置のテスト運転を実施することができる。
【００３５】
請求項７記載の発明によれば、上位制御機器側からの庫内照明の消灯と点灯を指令することで、設定／制御情報変更の許可と禁止をそれぞれ制御することができるので、上位制御機器との通信を開始または再開した後でも、いたずら防止による制約を受けることなく、操作手段により設定／制御情報の種々変更して冷却装置のテスト運転を実施することができる。
【００３６】
請求項８記載の発明によれば、庫内照明の消灯と点灯により設定／制御情報変更を許可と禁止を制御するので、上位制御機器との通信を開始または再開した後でも、いたずら防止による制約を受けることなく、操作手段により設定／制御情報の種々変更して冷却装置のテスト運転を実施することができる。
【００３７】
請求項９記載の発明によれば、通信手段が上位制御機器との通信を開始または再開するまでは、操作手段の操作によって、表示手段に表示された設定／制御情報を変更することができる他、上位制御機器との通信を開始または再開した後でも、設定／制御情報変更を許可と禁止を制御することができるので、上位制御装置と電子コントローラの通信が実行されることで電子コントローラの品質、営業に係わる設定制御情報を上位制御装置により管理することができ、作業者の作業性を損なうことなく、顧客などの第三者によるいたずら操作を確実に防止することができる冷却装置の集中監視システムを提供することができる。
【発明を実施するための最良の形態】
【００３８】
以下、図面を参照して本発明の実施の形態を説明する。図１は本発明に係る冷却装置の電子コントローラを上位制御機器とともに使用して構成された集中監視システムの一実施の形態を示すブロック図、図２は冷却装置の温度制御や除霜制御などを行う電子コントローラの一構成例を示すブロック図、図３は上位制御機器の一構成例を示すブロック図である。本発明は、冷蔵ショーケース、冷凍ショーケース、冷蔵庫など各種の冷却装置の電子コントローラに適用することができるが、ここでは、冷却装置として冷蔵ショーケース（以下、単に「ショーケース」と呼ぶ。）を使用した場合について説明する。
【００３９】
図１において、１1 〜１n （ｎは２以上の整数）は後述の各ショーケース２1 〜２n にそれぞれ対応して設けられ、対応するショーケース２1 〜２n の庫内温度の制御や除霜制御を行うとともに、その運転状況などの情報を要求に応じて後述の上位制御機器３に送信する電子コントローラ、２1 〜２n はショーケース、Ｌは複数の電子コントローラ１1 〜１n と上位制御機器３とを接続する通信ライン、３は通信ラインＬを介して電子コントローラ１1 〜１n に接続され、各ショーケース２1 〜２n の動作状態などを集中監視する上位制御機器である。
【００４０】
なお、以下の説明において、各電子コントローラ１1 〜１n 及び各ショーケース２1 〜２n を区別しないときには、電子コントローラ及び各ショーケースを符号１及び２を付して示し、各々を代表して表している。各ショーケース２には、図示しないが、冷媒液を制御する電磁弁や膨張弁などの制御弁、冷却器、冷却器を通して冷気を循環させるファン、庫内の温度を計測する温度センサが内蔵されるとともに、庫内照明灯として棚照明灯及び作業灯が設けられている。庫内照明の点灯、消灯とは、棚照明灯及び作業灯の両方が点灯、消灯した状態のことをいう。棚照明は、作業灯の点灯状態でも消灯となる。
【００４１】
電子コントローラ１は、ショーケース２に組み込まれた温度センサで計測した庫内温度を取り込み、この取り込んだ庫内温度と各種設定値とに基づいてショーケース２を適切な温度に保つようにショーケース２の制御弁を制御する他、各種設定情報に基づいて各種の制御を行うと共に、通信ラインＬを介して上位制御機器３との間で各種制御情報または監視情報の授受を行う。
【００４２】
上位制御機器３は、複数の電子コントローラ１と通信ラインＬを介して接続され、電子コントローラ１の持つ各種監視情報、計測情報を定期的に収集すると共に、スケジュールに従って店舗の開店、閉店時にショーケース２の庫内照明灯を点灯または消灯させて省エネを図る他、詳細には後述するが、上記スケジュール機能を用いて、禁止状態にある各種制御情報の変更機能を解除して許可状態にし、電子コントローラ１において各種制御情報を変更可能にする。
【００４３】
具体的には、電子コントローラ１は、図２のブロック図に示されるように、通信ラインＬを介しての上位制御機器３からの設定／制御情報の受信と上位制御機器３への設定／制御情報、計測データの送信とを行う通信部１１と、記憶部１２、保存部１３と、操作／表示部１４と、入出力部１５と、これらが接続された制御部１６とを備える。制御部１６は、保存部１３のＥ2 ＲＯＭに保存されたプログラムによって動作するマイクロコンピュータのＣＰＵによって構成されており、詳細には後述する、初期化処理（図１２）、受信電文による制御データ変更許可／禁止処理（図１３及び図１４）、タイマ処理（図１５）、操作処理（図１６〜図２０）、その他の処理を実行する。制御部１６のＣＰＵは、これらの処理を実行することによって、詳細には後述する変更制御手段１６１を構成している。
【００４４】
記憶部１２は、読み出し書き込み自在のメモリであるＲＡＭからなり、図４に示すように、第１の記憶部１２１（図４（ａ））と第２の記憶部１２２（図４（ｂ））とにより構成されている。第１の記憶部１２１は、データポインタ（表示ポインタ）を格納するポインタエリア、表示バッファデータを格納するバッファエリア及び制御データ変更許可／禁止フラグを設定するフラグエリアを有し、第２の記憶部１２２は、庫内温度の計測データの他、温度設定値、上限設定値、下限設定値・・・照明、除霜などの各種の制御データをそれぞれ格納するエリアを有する。なお、図示しないが、記憶部１２には、第１の禁止解除タイマー、第２の禁止解除タイマー、監視タイマの各エリアが設けられている。
【００４５】
第１の記憶部１２１中のデータポインタエリアには、第２の記憶部１２２に記憶されている計測／制御データのなかのどのデータを表示バッファエリアに転送し操作／表示部１４に表示させるかを指定する情報が記憶される。表示バッファエリアには、操作／表示部１４に表示する情報が記憶される。制御データ変更許可／禁止フラグエリアには、操作／表示部１４の操作により選択される第２の記憶部１２２に記憶されている制御データ、例えば温度設定値、上限設定値などの変更を許可／禁止する情報が記憶される。
【００４６】
保存部１３は、Ｅ2 ＰＲＯＭのような不揮発性メモリからなり、図５に示すように、第２の記憶部１２２に記憶された制御データと同一のものを保存してバックアップしていて、電子コントローラ１の電源がオフされることで喪失される第２の記憶部１２２に記憶されていた制御データを復元するために利用される。
【００４７】
入出力部１５は、ショーケース２に設けられた温度センサからの計測温度を取り込み、制御部１６による制御データに基づく演算結果をショーケース２の制御弁に対して出力する。制御部１６は、温度センサなどの計測信号を入出力部１５から取り込み、第２の記憶部１２２の制御データに基づき演算し、演算結果は入出力部１５を通して出力し、さらに通信部１１を通して通信ラインＬを介して上位制御機器３との通信を行う処理などを実行する。
【００４８】
操作／表示部１４は、図６に示すように、表示面とキースイッチとが同一面に配列されて構成され、表示手段として、（ナイトセットバック）ＮＳＢ表示器１４１、警報表示器１４２、２桁の７セグメント表示を行う第１の表示部１４３及び１桁の７セグメント表示を行う第２の表示部１４４とを有し、操作手段として、第１の操作部１４５〜第４の操作部１４８を有する。
【００４９】
ＮＳＢ表示器１４１は、ナイトセットバック（ＮＳＢ）の制御状態を示すためのもので、ＮＳＢを実行中であるとき点灯される。警報表示器１４２は、電子コントローラ１が庫内温度異常などの異常を検出したとき警報のため点灯される。第１の表示部１４３は、庫内の計測温度、設定温度、上限／下限警報設定値などの各種設定値や、除霜制御の状態などの制御の設定状態などを表示する。第２の表示部１４４は、第１の表示部１４３の表示データの種別（制御データの位置）を識別するための表示を行う。
【００５０】
第１の操作部１４５は、冷却／非冷却の制御変更もしくは設定温度をはじめとする各種設定制御データの設定を１回押下することで１加算（インクリメント）する冷／非冷キー
と△キーに併用される複合キーである。第２の操作部１４６は、ショーケース２の照明の変更操作（→作業灯ｏｎ→照明ｏｎ→作業灯／棚照明灯ｏｆｆ→）もしくは設定温度をはじめとする制御データの設定を１回押下することで１減算（デクリメント）する照明キーと▽キーに併用される複合キーである。第３の操作部１４７は、押下することで制御データを順次選択して表示部に表示すると同時に、長押し（５秒）することで設定値の変更を可能とするための選択キーである。第４の操作部１４８は、第１の操作部１４５〜第３の操作部１４７の操作によって変更した各種設定データ（制御データ）の変更を確定するための確定キーである。
【００５１】
なお、図６では、第１の表示部１４３に庫内温度が表示されている。第１の表示部１４３に表示されている数値が庫内温度であることは、第２の表示部１４４には何も表示されていないことによって示される。
【００５２】
図６の状態にあるとき、第３の操作部１４７の選択キーを押下して放すと、図７（ａ）に示すように、第１の表示部１４３に設定温度を表す数値が表示される。図７（ａ）において、第１の表示部１４３に表示されている数値が設定温度であることは、第２の表示部１４４に「−」が表示されていることによって示される。制御データ変更許可／禁止フラグが許可となっている場合、図７（ａ）に示す状態で、第３の操作部１４７の選択キーを長押しすると、設定温度表示が点滅して設定温度が変更可能になったことが示される（図７（ｂ））。図７（ｂ）の状態で、選択キーの押下を放し、第１の操作部１４５の△キー又は第２の操作部１４６の▽キーを押下して設定値が変更され、例えば△キーが押下されると、図７（ｃ）に示すように、インクリメントされて「７」となった温度設定値が点滅表示され、変更中であることが示される。図７（ｃ）の状態で、第４の操作部１４８の確定キーを押下すると、点滅が停止して設定温度表示した図７（ｄ）に示す状態となる。
【００５３】
制御データ変更許可／禁止フラグが禁止となっている場合には、図７（ａ）に示す状態に対応する状態（図８（ａ））で、第３の操作部１４７の選択キーを長押しすると、図８（ｂ）に示すように、第１の表示部１４３に「ｎＣ」なる設定値変更禁止表示が点滅表示される。図８（ｂ）の状態で、選択キーの押下を放すと、図８（ｃ）に示すような上限設定値表示が行われ、図８（ｃ）に状態で、選択キーを押下して放すと、図８（ｄ）に示すような下限設定値表示が行われる。
【００５４】
一方、上位制御機器３は、図３のブロック図に示すように、電子コントローラ１との通信を行う通信部３１と、ＲＡＭなどからなる記憶部３２と、フラッシュＲＯＭ／ハードディスクなどからなり、プログラム、各種設定値などを格納する保存部３３と、液晶などの表示パネルからなる表示部３４と、各種設定値の変更、スケジュールプログラムなどの変更操作を行うキーなどからなる操作部３５と、各種演算処理を実行するマイクロコンピュータのＣＰＵからなる制御部３６とを有する。
【００５５】
制御部３６は、自身が有するスケジュール機能、又は、管理者の手動操作によって送信要求が発行されたとき、図９に例示するように、庫内照明、制御データ変更許可／禁止、サマリ要求、その他などの通信コマンドに応じたコマンドコードＡ〜Ｄとコマンド内容に応じた数値とを組み合わせた送信電文１〜４を作成し、通信部３１を通じて通信ラインＬを介して各電子コントローラ１に宛てて送信する。
【００５６】
詳細には、図示のように、コマンドコードＡが割り当てられた庫内照明のコマンド内容は、数値「０」によって消灯（作業灯、棚照明）、数値「１」によって作業灯点灯、数値「２」によって点灯（作業／棚照明）が示され、電文３として作成される。コマンドコードＢが割り当てられた制御データ変更許可／禁止のコマンド内容は、数値「０」によって許可、数値「１」によって禁止が示され、電文２として作成される。コマンドコードＣが割り当てられたサマリ要求のコマンド内容は、数値「０」によって計測データ、数値「１」によって設定データ、数値「２」によって計測／設定データ、数値「３」によって履歴データが要求データとして示され、電文１として作成される。コマンドコードＤが割り当てられたその他のコマンド内容として、数値「１」によって除霜開始が示され、電文４として作成される。なお、サマリ要求コマンドによって、例えば１秒の所定時間ごとに、上位制御機器から電子コントローラに各種のデータ要求が行われる。
【００５７】
以上概略説明した上位制御機器３の構成及び動作の詳細を、上記制御機器３の制御部３６を構成しているマイクロコンピュータのＣＰＵが予め定めたプログラムに従って行う概略処理を示す図１０のフローチャートを参照して以下説明する。
【００５８】
制御部３６のＣＰＵは、上位制御機器のスケジュールプログラム又は操作者の操作部（キー）からの指令で電文の送信要求がなされたとき（ステップＳ１００）、要求に従って送信電文を作成し（ステップＳ１０１）、作成した電文１〜４を通信コマンドとして電子コントローラ１に対して送信する（ステップＳ１０２〜ステップＳ１０５）。
【００５９】
庫内照明に関しては、電文３によって、庫内照明点灯「２」が送信される（ステップＳ１０２）と、電文の送信要求がなされた電子コントローラ１で受信され、当該電子コントローラの操作部による制御データの変更が禁止される。
【００６０】
制御データ変更の許可／禁止に関しては、電文２によって、電子コントローラ１の制御データ変更の許可「０」または禁止「１」が送信されると（ステップＳ１０３）、電文の送信要求がなされた電子コントローラ１で受信され、当該電子コントローラでは、制御データの変更、冷却／非冷却の変更は、制御データ変更が許可「０」であるときのみ可能となる。
【００６１】
サマリ要求に関しては、電文１によって、上位制御機器３が通信ラインＬで接続される複数のショーケースを監視するためのサマリ要求が所定時間（例えば１秒）ごとに各ショーケースに対応する電子コントローラ１に送信される（ステップＳ１０４）と、電文の送信要求がなされた電子コントローラ１で受信され、当該電子コントローラでは、計測温度（庫内温度）、運転状態などの各種情報が収集される。
【００６２】
本実施形態では、電子コントローラ１は上位制御機器３からこのサマリ要求を最初に受信することで、制御データの変更を禁止する。また、電子コントローラ１はこのサマリ要求を監視し、上位制御機器３から所定時間の間、サマリ要求を受信しなくなることで、制御データの変更を許可「０」にするために利用している。
【００６３】
集中監視システムを導入したときのショーケースの調整は、上位制御機器３と通信が行えるまで制御データの変更が許可「０」となっていることで、個別にショーケースの調整を操作部から簡単な操作で行えるため、スタートアップの作業を効率よく行うことができる。
【００６４】
さらに、電子コントローラ１は上位制御機器３との通信が正常に行えることで、電子コントローラ１の制御データの操作部からの変更は禁止されることになるので、いたずら防止を適切に行えるシステムを提供できる効果がある。
【００６５】
なお、本実施形態では、サマリ要求を上位制御機器３から受信したとき、制御データの変更を禁止「１」としているが、これに限られるものでなく、上位制御機器３との通信が正常に行えること確認できれば、他の方法によってもよい。
【００６６】
その他に関する電文４では、本発明に直接関係ない通信コマンドが上位制御機器３から電子コントローラ１に送信される（ステップＳ１０５）。
【００６７】
次に、概略説明した電子コントローラ１の構成及び動作の詳細を、電子コントローラ１の制御部１６を構成しているマイクロコンピュータのＣＰＵが予め定めたプログラムに従って行う処理を示す図１１〜図２０にフローチャートを参照して以下説明する。
【００６８】
制御部１６のＣＰＵは、電子コントローラ１に電源が投入されると、図１１のフローチャートに示すように、初期化処理（ステップＳ１）、制御データ許可／禁止処理（ステップＳ２）、タイマ処理（ステップＳ３）、操作部処理（ステップＳ４）及びその他の処理（ステップＳ５）を順次実行する。
【００６９】
初期化処理（ステップＳ１）では、図１２のフローチャートに示すように、制御部１６のＣＰＵは、制御データ変更許可／禁止フラグを許可「０」に設定して（ステップＳ５１）、電源が投入された電子コントローラ１がショーケース２を制御するための各種制御データを操作／表示部１４から操作できるようにする。このように制御データ変更許可／禁止フラグを許可「０」に設定することで、ショーケース２を新規導入し、まだ通信ラインＬが接続されてない状態で、電子コントローラ１の操作／表示部１４から自由に設定変更することができるようになる。このことによって、スタートアップのための作業を、従来のようにいたずら防止のための複雑なキー操作を行うことなく効率よく行うことができる。
【００７０】
続いて、制御部１６のＣＰＵは、第１の禁止解除タイマをタイムアップ状態にする（ステップＳ５２）。なお、第１の禁止解除タイマは、制御データ変更許可／禁止フラグを許可「０」にする電文を上位制御機器３から受信したとき、所定時間の間、操作／表示部１４の操作によって、各種制御データを記憶した第２の記憶部１２２及び保存部１３を変更可能とするものであり、第１の禁止解除タイマをタイムアップ状態にすることで、瞬時停電などで上位制御機器３との通信が復旧したとき、制御データ変更許可／禁止フラグが許可「０」とならず、即時に、操作／表示部１４による各種制御データ変更が禁止状態となるので、いたずら防止を禁止することができる。
【００７１】
続いて、上位制御機器３からの通信が何かの不都合で不能になったときの時間を監視するタイマである第２の禁止解除タイマをリセット、すなわち、タイムカウントによる計時を開始させる（ステップＳ５３）。なお、第２の禁止解除タイマは上位制御機器から受信電文が所定時間受信しないことをチェックするためのタイマである。その後、電子コントローラ１が制御に使用するための制御データを第２の記憶部１２２上に再設定するために保存部１３から記憶部１２に転送してコピー処理（ステップＳ５４）してから、その他の初期化処理を行う（ステップＳ５５）。
【００７２】
上述した初期化処理における制御データ変更許可／禁止フラグの初期設定処理は、電子コントローラ１の各種制御データが表示／操作部１４のいたずら操作によって変更されることを防止するためのものである。
【００７３】
次に、図１３及び図１４のフローチャートを参照して、電子コントローラの制御部１６のＣＰＵが上位制御機器３から受信する受信電文による制御データ変更許可／禁止処理を説明する。制御部１６のＣＰＵは、上位制御機器３からの受信データがあると（ステップＳ６０１がＹＥＳのとき）、受信電文を解析して判別する（ステップＳ６０２）。判別の結果、受信電文が電文３（庫内照明）に関するものであるときには、コマンドの内容が数値「０」又は「１」であるかどうかによって庫内照明の消灯であるかどうかを判定する（ステップＳ６０３）。なお、受信電文がないとき（ステップＳ６０１がＮＯのとき）には、直ちに図１１のフローチャートの処理に戻る。
【００７４】
ステップＳ６０３の判定がＹＥＳのときには、第２の記憶部１２２内の計測／制御データのうちの庫内照明データを消灯「０」又は「１」にする（ステップＳ６０４）とともに、第１の記憶部１２１内の制御データ変更許可／禁止フラグを許可「０」にしてから（ステップＳ６０５）、図１１のフローチャートの処理に戻る。なお、消灯「０」の庫内照明データによる庫内照明の制御によって、作業灯及び棚照明の両方が消灯される。ステップＳ６０３の判定がＮＯのときには、コマンドの内容が数値「２」であるかどうかによって照明の点灯であるかどうかを判定する（ステップＳ６０６）。ステップＳ６０６の判定がＹＥＳのときには、庫内照明データを点灯「２」にする（ステップＳ６０７）とともに、制御データ変更許可／禁止フラグを禁止「１」にしてから（ステップＳ６０８）、図１１のフローチャートの処理に戻る。なお、点灯「２」の庫内照明データによる庫内照明の制御によって、作業灯及び棚照明の両方が点灯される。
【００７５】
なお、制御部１６のＣＰＵは、上述したステップＳ６０３〜ステップＳ６０８の処理の実行によって、通信部１１を通じて上位制御機器３から所定の設定指令（庫内照明の消灯及び点灯に関するコマンド）を受信したとき、操作／表示部１４の操作部による設定／制御情報の変更を可能とする変更制御手段１６１として機能する他、通信部１１を通じて上位制御機器から庫内照明点灯の指令を受信したとき、設定／制御情報の変更を禁止し、通信部１１を通じて庫内照明消灯の指令を受信したとき禁止を解除する変更制御手段１６１として機能している。
【００７６】
受信電文が電文１（サマリ要求）に関するものであるときには、制御データ変更許可／禁止にかかわる第２の禁止解除タイマをタイマリセットしてタイムカウントを開始させてから（ステップＳ６０９）、応答サマリ電文を作成するとともに、作成した電文を上位制御機器３に送信する（ステップＳ６１０）。続いて、制御データ変更許可／禁止にかかわる第１の禁止解除タイマがタイムアップしているか判定し（ステップＳ６１１）、タイムアップしていれば（ステップＳ６１１がＹＥＳのとき）、第２の記憶部１２２内の庫内照明データが点灯「２」であるかを判定し（ステップＳ６１２）、判定がＹＥＳのときには制御データ変更許可／禁止フラグを禁止「１」にしてから（ステップＳ６１３）、図１１のフローチャートの処理に戻る。
【００７７】
なお、制御部１６のＣＰＵは、上述したステップＳ６０９〜ステップＳ６１３（図１４）と、後述するステップＳ７４及びステップＳ７５（図１５）との処理の実行によって、通信部１１が上位制御機器３との通信を開始または再開したことを検出したとき、操作／表示部１４の操作部による操作／表示部１４の表示部に表示されている設定／制御情報の変更を禁止し、通信１１を通じて上位制御機器３との通信を所定時間以内に行わないことを検出したとき、禁止を解除する変更制御手段１６１として機能している。
【００７８】
受信電文が電文２（制御データ変更許可／禁止フラグを許可「０」にするもの）に関するものであるときには、第１の記憶部１２１内の制御データ変更許可／禁止フラグを許可「０」にする（ステップＳ６１４）とともに、制御データ変更許可／禁止にかかわる第１の禁止解除タイマをタイマリセットしてタイムカウントを開始させてから（ステップＳ６１５）、図１１のフローチャートの処理に戻る。
【００７９】
なお、制御部１６のＣＰＵは、上述したステップＳ６１１〜ステップＳ６１３とステップＳ６１４及びステップＳ６１５の処理（図１４）の実行によって、通信部１１を通じて上位制御機器３から所定の設定情報（許可「０」）を受信したとき、禁止を所定時間解除する変更制御手段１６１として機能している。
【００８０】
上述したように、電子コントローラの制御部１６のＣＰＵが、電文１（サマリ要求：電子コントローラの持つ計測温度、庫内温度、各種警報・・を上位制御機器３がショーケース２を監視するためのデータ送付要求）を例えば１秒ごとに受信することで、第１の禁止解錠タイマがタイムアップし、作業／棚照明の両方を点灯させるように、庫内照明データが点灯「２」になっていることを条件に制御データ変更許可／禁止フラグを禁止「１」にしているので、営業中に表示／操作部１２を操作して制御データをいたずらによって変更することを防止することができる。
【００８１】
また、電子コントローラの制御部１６のＣＰＵが、制御データ変更許可／禁止フラグを許可「０」にする電文２を受信したり、庫内照明データを消灯「０」する電文３を受信して、制御データ変更許可／禁止データフラグを許可「０」にし、庫内照明データを点灯「２」する電文３を受信して、制御データ変更許可／禁止フラグを禁止「１」にしているので、営業開始前の準備時間または営業終了後などに、ショーケースに格納する製品が異なるなどした場合に、各種制御データの変更、除霜、冷／非冷、照明操作などの制御データの変更の操作を操作部から可能することができる。
【００８２】
続いて、図１５のフローチャートを参照して、電子コントローラの制御部１６のＣＰＵが行う、第１の及び第２の禁止解除タイマ並びに監視タイマについてのタイマ処理を説明する。
【００８３】
制御部１６のＣＰＵは、第１の記憶部１２１内の制御データ変更許可禁止フラグが許可「０」になっているか否かを判定し（ステップＳ７１）、許可「０」になっているとき（ステップＳ７１がＹＥＳのとき）には、第１の禁止解除タイマがタイムアップしているか判定し（ステップＳ７２）、タイムアップしてなければ（ステップＳ７２がＮＯのとき）、第１の禁止解除タイマにタイムカウント（＋１）させる。制御データ変更許可／禁止フラグが許可「０」でなく禁止「１」になっているとき（ステップＳ７１がＮＯのとき）には、第２の禁止解除タイマがタイムアップしているか判定し（ステップＳ７４）、タイムアップしていれば（ステップＳ７４がＹＥＳのとき）、制御データ変更許可／禁止フラグを許可「０」にし（ステップＳ７５）、タイムアップしていなければ（ステップＳ７４がＮＯのとき）、第２の禁止解除タイマにタイムカウント（＋１）させる。
【００８４】
その後、監視タイマがタイムアップしているか判定し（ステップＳ７７）、タイムアップしているとき（ステップＳ７７がＹＥＳのとき）、冷／非冷データが変更中、すなわち、最初の長押し状態であれば（ステップＳ７８がＹＥＳのとき）、変更が終了していないとして冷／非冷中の元の状態にリセットし（ステップＳ７９）、監視タイマがタイプアップしていないとき（ステップＳ７７がＮＯのとき）には監視タイマにタイムカウント（＋１）させてから（ステップＳ８０）、図１１のフローチャートの処理に戻る。なお、冷／非冷データが変更中、すなわち、最初の長押し状態でなければ（ステップＳ７８がＮＯのとき）、変更が終了しているとして図１１のフローチャートの処理に直ちに戻る。なお、監視タイマは、冷／非冷キーの２度目の長押しが所定時間内であるかどうかを判定するためのものであるので、１度目の長押しによってタイマカウントを開始している。
【００８５】
上述したようなタイマ処理を行うことによって、第１の禁止解除タイマがリセットされてからタイムアップするまでの所定時間の間だけ、制御データ変更許可／禁止フラグの禁止「１」を解除して許可「０」にすることで、電子コントローラ１のいたずらを防止する。また、上位制御機器３との通信状態（例えば所定時間毎に上位制御機器３から送信するサマリ要求電文）を第２の禁止解除タイマがリセットされてからタイムアップするまでの時間の間監視し、上位制御機器３からのスケジュールによる指令または手動の指令により各ショーケースにおいて制御データの変更を可能とする処理が、上位制御機器３との通信トラブルなどで不可能となったときに、電子コントローラ１で制御データの変更を可能とする。
【００８６】
最後に、図１６〜図２０のフローチャートを参照して、制御部１６のＣＰＵが操作／表示部１４のキー操作について行う操作処理を説明する。
【００８７】
制御部１６のＣＰＵは、図１６のフローチャートに示すように、操作／表示部１４の任意の操作部のキーが押下されると（ステップＳ８０１がＹＥＳのとき）、第１の操作部１４５〜第４の操作部１４８の何れの操作部のキーが押下されたかを判別する（ステップＳ８０２）。
【００８８】
（第３の操作部１４７の「選択」キーが押下された時の処理）
押下されたキーが第３の操作部１４７の「選択」キーであると判別されたときには、図１７のフローチャートに示すように、所定時間押下されているとき（ステップＳ８１０がＹＥＳのとき）には、選択された制御データが設定値であって制御データ変更許可／禁止フラグが許可「０」であるとき（ステップＳ８１１及び８１２がともにＹＥＳのとき）には、データ変更中フラグをセットして第１の表示部１４３の表示を点滅させてから（ステップＳ８１３）、図１１のフローチャートの処理に戻る。
【００８９】
選択された制御データが設定値でないとき（ステップＳ８１１がＮＯのとき）、または、制御データ変更許可／禁止フラグが許可「０」でないとき（ステップＳ８１２がＮＯのとき）には、制御データ変更禁止状態にあることを第１の表示部１４３の表示を点滅することで表し（ステップＳ８１４）、第３の操作部１４７の「選択」キーの押下が放されるのを待って（ステップＳ８１５がＹＥＳのとき）、データポインタを「＋１」するとともにデータ変更中フラグをリセットする（ステップＳ８１６）。＋１されたデータポインタが指示する計測／制御データを表示バッファにコピーし（ステップＳ８１７）、新しいデータポインタの内容を第１の表示部１４３に表示させてから（ステップＳ８１８）、図１１のフローチャートの処理に戻る。
【００９０】
なお、押下されたキーが第３の操作部１４７の「選択」キーであるが、所定時間押下されていないとき（ステップＳ８１０がＮＯのとき）には、ステップＳ８１１〜ステップＳ８１５の処理を飛ばして、データポインタを「＋１」するとともにデータ変更中フラグをリセットする処理（ステップＳ８１６）に進む。
【００９１】
上述した第３の操作部１４７の「選択」キーに係わる処理によって、第３の操作部１４７の「選択」キーが所定時間長押し（例えば５秒以上）されることで、現在の表示が設定値（制御データ）であってデータ変更可能（制御データ変更許可禁止＝許可）であれば、表示部１４３に設定変更可能であることを点滅表示で表示すると同時に、データ変更中のフラグをセットする。このとき、データ変更可能でない場合は、設定変更禁止の表示を表示部１４３に表示する。操作部１４７が放されることで、制御データの次のポインタアドレスのデータを表示部１４３に表示すると同時に第１の表示部１４３に表示中のデータを識別する表示内容を第２の表示部１４４に表示する。
【００９２】
（第１の操作部１４５の「冷／非・△」キーが押下された時の処理）
押下されたキーが第１の操作部１４５の「冷／非・△」キーである場合には、図１８のフローチャートに示すように、制御データ変更許可／禁止フラグが許可「０」になっているとき（ステップＳ８２０がＹＥＳのとき）、変更中フラグがセットされていてデータ変更中であれば（ステップＳ８２１がＹＥＳのとき）、「冷／非・△」キーが「△」キーとして作用して表示バッファを「＋１」してから（ステップＳ８２２）、図１１のフローチャートの処理に戻る。なお、制御データ変更許可／禁止フラグが禁止「１」になっているとき（ステップＳ８２０がＮＯのとき）には、「冷／非・△」キーの押下を無視して図１１のフローチャートの処理に直ちに戻る。
【００９３】
変更中フラグがリセットされていてデータ変更中でないとき（ステップＳ８２１がＮＯのとき）には、最初の長押し（５秒）であるかを判定する（ステップＳ８２３）。最初の長押しであるとき（ステップＳ８２３がＹＥＳのとき）には、監視タイマをリセットして所定時間のタイムカウントを開始させ（ステップＳ８２４）、第１の表示部１４３に冷却（ＯＮ）／非冷却（ＯＦ）の状態を点滅表示（ＯＮ⇔ＯＦの反転）させてから（ステップＳ８２５）、図１１のフローチャートの処理に戻る。なお、監視タイマは、上述したように、冷／非冷キーの２度目の長押しが所定時間内であるかどうかを判定するためのものであるので、１度目の長押しによってタイマカウントを開始している。
【００９４】
最初の長押しでないとき（ステップＳ８２３がＮＯのとき）には、２度目の長押し（５秒）であるか判定し（ステップＳ８２６）、２度目の長押しであるとき（ステップＳ８２６がＹＥＳのとき）には、設定された「冷却」又は「非冷却」に制御データを変更してから（ステップＳ８２７）、図１１のフローチャートの処理に戻る。なお、２度目の長押しでないとき（ステップＳ８２６がＮＯのとき）には長押しを無視して図１１のフローチャートの処理に直ちに戻る。
【００９５】
上述した第１の操作部１４５の「冷／非・△」キーに係わる処理によって、制御データの変更が可能な状態（制御データ変更許可禁止フラグ：許可「０」）であるときにのみ、この操作部１４５としてのキーが有効となる。そして、データ変更中フラグがセットされていれば、操作部１４７は制御データの変更が可能となり、１回操作（押下）する毎に該当する制御データを１加算する「△」キーとして作用する。
【００９６】
これに対し、データ変更中でないときは、操作部１４５の「冷／非・△」キーを長押し（例えば５秒）押すことで、冷却⇔非冷却に制御データを変更可能にすると同時に変更される制御が非冷却⇒冷却（ｃまたはｏｎ）かもしくは冷却⇒非冷却（ｈまたはｏＦ）であるかを第１の表示部１４３に点滅表示する。この状態で表示内容を確認の上、操作者が操作部１４５を再度操作（押下）することで冷却⇔非冷却のいずれかの状態の制御データが確定する。第１の表示部１４３の点滅状態で所定時間操作部１４５が操作されないと、図１５のタイマ処理のフローチャートのステップＳ７７〜ステップＳ８０の処理によって、監視タイマがタイムアップして非冷却⇔冷却の状態を操作部１４５が長押しされる前の状態に戻してこの処理フローを終了する。
【００９７】
また、１つの操作部１４５を２つのキーとして作用させ、本来２つの操作部を１つの操作部とすることで、操作／表示部１４をコンパクトにすることができると同時に安価することができる効果がある。さらに、冷却⇔非冷却の設定操作を一つの操作部１４５に複数の処理をさせるにもかかわらず操作者が目的の操作を確実に処理をすることができる効果がある。
【００９８】
（第２の操作部１４６の「照明・▽」キーが押下された時の処理）
押下されたキーが第２の操作部１４６の「照明・▽」キーである場合には、図１９のフローチャートに示すように、制御データ変更許可／禁止フラグが許可「０」になっているとき（ステップＳ８３０がＹＥＳのとき）、変更中フラグがセットされていてデータ変更中であれば（ステップＳ８３１がＹＥＳのとき）、「照明・▽」キーが「▽」キーとし作用して表示バッファを「−１」してから（ステップＳ８３４）、図１１のフローチャートに戻る。
【００９９】
変更中フラグがリセットされていてデータ変更中でないとき（ステップＳ８３１がＮＯのとき）には、第２の操作部１４６が「照明」キーとして作用し、その押下毎に作業灯ｏｎ→照明（作業／棚照明）ｏｎ→照明ｏｆｆに制御データを変更する（ステップＳ８３５）。また、制御データ変更許可／禁止フラグが許可「０」でないとき（ステップＳ８３０がＮＯのとき）には、電子コントローラ１の使用形態がスタンドアロンであるとき（ステップＳ８３６ａがＹＥＳのとき）にも、第２の操作部１４６が「照明」キーとして作用し、その押下毎に作業灯ｏｎ→照明（作業／棚照明）ｏｎ→照明ｏｆｆに制御データを変更する（ステップＳ８３５）。なお、スタンドアロンであるか否かの判定は、例えば、通信が開始される前や中断中に「１」が設定され、開始或いは再開されると「０」にリセットされるスタンドアロンフラグによって行うことができ、「１」が設定されていることによって、単独に使用されているスタンドアロン状態にあることが判定される。
【０１００】
制御データ変更許可／禁止フラグが許可「０」になっており（ステップＳ８３０がＹＥＳのとき）、変更中フラグがリセットされていてデータ変更中でなく（ステップＳ８３１がＮＯのとき）、かつ、電子コントローラ１の使用形態がスタンドアロンに設定されているとき（ステップＳ８３６ｂがＹＥＳのとき）には、庫内照明データとして照明（作業／棚照明）点灯「２」が設定されているか否かによって棚照明が点灯しているか否かを判定し（ステップＳ８３６ｃ）、棚照明が点灯しているとき（ステップＳ８３６ｃがＹＥＳのとき）には、制御データ変更許可／禁止フラグを禁止「１」にし（ステップＳ８３６ｄ）、点灯していないとき（ステップＳ８３６ｃがＮＯのとき）には、制御データ変更許可／禁止フラグを許可「０」にしてから（ステップＳ８３６ｅ）、図１１のフローチャートに戻る。なお、電子コントローラ１の使用形態がスタンドアロンになっていないとき（ステップＳ８３６ａ及びステップＳ８３６ｂがＮＯのとき）には、第２の操作部１４６の押下操作は無視して図１１のフローチャートに戻る。
【０１０１】
上述した第２の操作部１４６の「照明・▽」キーに係わる処理によって、制御データの変更が可能な状態（制御データ変更許可／禁止フラグ：許可「０」）であるときにのみ、この操作部１４６としてのキーが有効となる。そして、データ変更中のフラグがセットされていれば、操作部１４６は制御データの変更が可能となり、操作部１４６を１回操作（押下）する毎に該当する制御データを１減算する「▽」キーとして作用する。これに対し、データ変更中でないときは、操作部１４６を１回押下する毎に、冷却装置の庫内照明の制御データを→作業灯ｏｎ→照明ｏｎ→作業／棚照明ｏｆｆ→の順に変更する。電子コントローラ１は、この設定された庫内照明の制御データに従って冷却装置２の庫内照明を制御し、庫内照明が消灯されたことを検出して禁止を解除し、庫内照明が再点灯されたことを検出して元に戻す。
【０１０２】
この様に、庫内の棚照明の点灯時は制御データの変更、冷／非冷の操作変更が禁止されていても、庫内照明の作業照明は点灯していても棚照明が消灯していれば冷却装置に格納される商品の品質に係わる制御データ、冷／非冷の操作変更を可能とすることができる。逆に、制御データを変更するには、棚照明を消灯して作業灯のみの点灯又は消灯にしなければならないので、営業中に作業灯のみが点灯されたり、或いは、照明が消灯されていることで、「いたずら」かどうかを発見しやすくなり、いたずらを防止する効果がある。
【０１０３】
なお、ステップＳ８３０からステップＳ８３５への移行と、ステップＳ８３５からステップＳ８３６ｃへの移行を、電子コントローラ１の使用形態がスタンドアロンであることを条件に可能とし、棚照明消灯時のみ制御データ、冷／非冷の操作変更を可能とする時を、冷却装置の使用形態がスタンドアロン状態にある時に限定しているが、上位制御機器が存在し、スタンドアロンで用いられていない場合に適用してもよい。この場合には、ステップＳ８３６ａ及びステップＳ８３６ｂを削除し、これらを介さずに上記移行を直接行うようにすればよい。
【０１０４】
このようにした場合、制御データ変更許可／禁止フラグが禁止「１」であっても、データ変更中フラグがリセットされているときに、第２の操作部１４６を「照明」キーとして作用させることで、或いは、上位制御機器の例えばスケジュールで、棚照明を消灯したとき電子コントローラ１の操作部から制御データ、冷／非冷の操作変更を可能とすることができる。
【０１０５】
さらに、１っの操作部１４６を２つのキーとして作用させることで、本来２つの操作部が１つの操作部で済むことになり、操作／表示部をコンパクトにすることができると同時に安価することができる効果がある。
【０１０６】
さらに、照明を冷却装置の運用形態に合わせて点灯（ｏｎ）／消灯（ｏｆｆ）することで、冷却装置の熱負荷を最小とすることができる効果がある。
【０１０７】
（第４の操作部１４８の「確定」キーが押下された時の処理）
押下されたキーが第４の操作部１４８の「確定」キーである場合には、図２０のフローチャートに示すように、制御データ変更許可／禁止フラグが許可「０」になっているとき（ステップＳ８４０がＹＥＳのとき）、変更中フラグがセットされていてデータ変更中であれば（ステップＳ８４１がＹＥＳのとき）、表示バッファの内容を、ＲＡＭからなる第２の記憶部１２２及びＥ2 ＰＲＯＭからなる保存部１３の制御データエリアにコピーしてから（ステップＳ８４２）、図１１のフローチャートに戻る。制御データ変更許可／禁止フラグが許可「０」になっていないとき（ステップＳ８４０がＮＯのとき）、又は、変更中フラグがセットされておらずデータ変更中でなければ（ステップＳ８４１がＮＯのとき）には、「確定」キーの押下を無視して図１１のフローチャートに直ちに戻る。
【０１０８】
上述した第４の操作部１４８の「確定」キーに係わる処理によって、制御データの変更が可能な状態であるときにのみ、第４の操作部１４８が操作キーとして有効となり、その押下によって制御データを確定する処理を行う。
【０１０９】
なお、制御部１６のＣＰＵは、上述したステップＳ８３０，ステップＳ８３５、ステップＳ８３６ｂｃ〜ステップＳ８３６ｅの処理の実行によって、庫内照明の点灯時に操作／表示部１４の操作部による操作／表示部１４の表示部に表示されている設定／制御情報（制御データ）の変更を禁止し、庫内照明の消灯時に禁止を解除する変更制御手段１６１として働いている。
【０１１０】
なお、上述した実施の形態では、ショーケースとして、作業灯と棚照明とを備えるものを例示したが、庫内照明灯のみを備え、作業灯を備えないショーケースにも等しく適用することができる。
【図面の簡単な説明】
【０１１１】
【図１】本発明に係る冷却装置の電子コントローラを使用して構成された集中監視システムの一実施の形態を示すブロック図である。
【図２】図１中の電子コントローラの一構成例を示すブロック図である。
【図３】図１中の上位制御機器の一構成例を示すブロック図である。
【図４】図２中の記憶部の構成例を示す図であり、（ａ）は第１の記憶部、（ｂ）は第２の記憶部の記憶内容をそれぞれ示す。
【図５】図２中の保存部の構成例を示す図である。
【図６】図２中の操作／表示部の構成例を示す正面図である。
【図７】図６中の操作／表示部のキー操作の一例を示す図であり、（ａ）〜（ｄ）はキー操作による表示部の変化を示す。
【図８】図６中の操作／表示部のキー操作の他の例を示す図であり、（ａ）〜（ｄ）はキー操作による表示部の変化を示す。
【図９】上位制御機器が送信する電文の構成を説明するための説明図である。
【図１０】図３中の制御部のＣＰＵが行う電文送信処理を示すフローチャートである。
【図１１】図２中の制御部のＣＰＵが行う処理の全体を示すフローチャートである。
【図１２】図１１中の初期化処理の詳細を示すフローチャートである。
【図１３】図１１中の制御データ変更許可／禁止処理の詳細の一部分を示すフローチャートである。
【図１４】図１１中の制御データ変更許可／禁止処理の詳細の他の部分を示すフローチャートである。
【図１５】図１１中のタイマ処理の詳細を示すフローチャートである。
【図１６】図１１中の操作処理の詳細の一部分を示すフローチャートである。
【図１７】図１１中の操作処理の詳細の他の部分を示すフローチャートである。
【図１８】図１１中の操作処理の詳細のさらに他の部分を示すフローチャートである。
【図１９】図１１中の操作処理の詳細の他の一部分を示すフローチャートである。
【図２０】図１１中の操作処理の詳細の別の一部分を示すフローチャートである。
【符号の説明】
【０１１２】
１  電子コントローラ
２  冷却装置
３  上位制御機器
Ｌ  通信ライン
１１  通信部（通信手段）
１３  保存部（保存手段）
１４３  第１の表示部（表示手段）
１４４  第２の表示部（表示手段）
１４５  第１の操作部（操作手段）
１４６  第２の操作部（操作手段）
１４７  第３の操作部（操作手段）
１４８  第４の操作部（操作手段）
１６  制御部（制御手段）
１６１  制御部（変更制御手段）
【図１】
2008224093.tif 000003
【図２】
2008224093.tif 000004
【図３】
2008224093.tif 000005
【図４】
2008224093.tif 000006
【図５】
2008224093.tif 000007
【図６】
2008224093.tif 000008
【図７】
2008224093.tif 000009
【図８】
2008224093.tif 000010
【図９】
2008224093.tif 000011
【図１０】
2008224093.tif 000012
【図１１】
2008224093.tif 000013
【図１２】
2008224093.tif 000014
【図１３】
2008224093.tif 000015
【図１４】
2008224093.tif 000016
【図１５】
2008224093.tif 000017
【図１６】
2008224093.tif 000018
【図１７】
2008224093.tif 000019
【図１８】
2008224093.tif 000020
【図１９】
2008224093.tif 000021
【図２０】
2008224093.tif 000022